(57)【要約】【課題】  簡単な構成で、電源の蓄電量に応じて最適な停電時の運転方法を提供する。【解決手段】  電荷が蓄積される蓄電器を備え、交流電圧を変換して出力する電源から電力が供給されて動作する情報処理装置であって、電源から電力が供給されて情報処理装置の動作を制御するＣＰＵと、交流電圧を検知する電圧検知部と、を有し、ＣＰＵは、交流電圧の入力が断たれたら、電圧検知手段の検知結果と、情報処理装置の動作状態に基づき、シャットダウン処理を開始するまでの時間を設定する。【選択図】  図１
2015018493.tif 000002
【特許請求の範囲】
【請求項１】
入力される交流電圧によって蓄電される蓄電手段を備え、前記交流電圧を変換して出力する電源から電力が供給されて動作する情報処理装置において、
前記電源から電力が供給されて前記情報処理装置の動作を制御する制御手段と、
前記交流電圧を検知する電圧検知手段と、
前記制御手段は、前記交流電圧の入力が断たれた場合に、前記電圧検知手段の検知結果と、前記情報処理装置の動作状態に基づき、前記情報処理装置のシャットダウン処理を開始するまでの時間を設定することを特徴とする情報処理装置。
【請求項２】
前記制御手段は、前記シャットダウン処理を開始するまでの時間を、前記蓄電手段の電荷保持時間を用いて算出することを特徴とする請求項１に記載の情報処理装置。
【請求項３】
前記情報処理装置の動作状態とは、前記情報処理装置の通常動作の状態と前記通常動作の状態よりも消費電力が少ない状態を含むことを特徴とする請求項１または２に記載の情報処理装置。
【請求項４】
前記シャットダウン処理を開始するまでの時間を設定するテーブルを記憶する記憶手段を有することを特徴とする請求項１乃至３のいずれか１項に記載の情報処理装置。
【請求項５】
前記情報処理装置は、画像を形成する画像形成装置を含み、
前記電源からの電力が供給されて動作する画像形成手段を有することを特徴とする請求項１乃至４のいずれか１項に記載の情報処理装置。
【請求項６】
更に、画像形成手段を駆動する駆動手段を有し、
前記画像形成装置が画像を形成する場合に、前記電源は前記駆動手段に電力を供給し、
前記画像形成装置が省電力状態の場合に、前記電源は前記駆動手段への電力の供給を停止することを特徴とする請求項５に記載の情報処理装置。
【請求項７】
入力される交流電圧によって電荷が蓄積される蓄電手段を備え、前記交流電圧を変換して出力する電源から電力が供給されて動作する情報処理装置において、
前記電源から電力が供給されて前記情報処理装置の動作を制御する制御手段と、
前記交流電圧を検知する電圧検知手段と、
前記制御手段は、前記交流電圧の入力が断たれた場合に、前記電圧検知手段の検知結果と、前記蓄電手段の蓄電量に基づき、前記情報処理装置のシャットダウン処理を開始するまでの時間を設定することを特徴とする情報処理装置。
【請求項８】
前記情報処理装置の動作状態とは、前記情報処理装置の通常動作の状態と前記通常動作の状態よりも消費電力が少ない状態を含むことを特徴とする請求項７に記載の情報処理装置。
【請求項９】
前記シャットダウン処理を開始するまでの時間を設定するためのテーブルを記憶する記憶手段を有することを特徴とする請求項７または８に記載の情報処理装置。
【請求項１０】
前記情報処理装置は、画像を形成する画像形成装置を含み、
前記電源からの電力が供給されて動作する画像形成手段を有することを特徴とする請求項７乃至９のいずれか１項に記載の情報処理装置。
【請求項１１】
更に、画像形成手段を駆動する駆動手段を有し、
前記画像形成装置が画像を形成する場合に、前記電源は前記駆動手段に電力を供給し、
前記画像形成装置が省電力状態の場合に、前記電源は前記駆動手段への電力の供給を停止することを特徴とする請求項１０に記載の情報処理装置。
【発明の詳細な説明】
【技術分野】
【０００１】
本発明は、情報処理装置の電源装置に対して商用交流電源からの電力の供給が断たれた場合の情報処理装置の動作に関するものである。
【背景技術】
【０００２】
情報処理装置の一例として、パーソナルコンピュータやプリンタ等の周辺機器、また、テレビ、録画装置等は、ハードディスク（ＨＤＤとも記す）や不揮発性メモリ等の二次記憶装置を有する。例えば、この二次記憶装置に情報を記憶させるためのアクセス中に商用交流電源からの電力の供給が遮断されると、記憶中の情報を損傷、また、消失させる可能性がある。そのため、情報処理装置への電力の供給を断つ（オフする）場合は、二次記憶装置に情報を記憶した後に電力の供給が断たれるように終了処理（シャットダウン処理ともいう）を実行する。
【０００３】
このような背景から、商用交流電源からの電力が断たれた時に対処するためにバッテリー等の補助電源を設けて、補助電源の電力でシャットダウン処理を行う方法が特許文献１に開示されている。
【先行技術文献】
【特許文献】
【０００４】
【特許文献１】特開２００３−３２３２３５号公報
【発明の概要】
【発明が解決しようとする課題】
【０００５】
従来技術のシャットダウン処理の方法は、シャットダウン処理を行うのにバッテリーに十分な電力が蓄電されていることが前提である。しかし、情報処理装置の使用状況によってはバッテリーの蓄電電力は変動する可能性があり、蓄電電力が少ない場合等の動作については全く考慮されていない。つまり、蓄電電力が小さい場合にはシャットダウン処理を完了することができなくなる懸念がある。
【０００６】
本発明は、補助電源に蓄電される電力量が変動した場合においても適切にシャットダウン処理を行うことができる装置を提供することを目的とする。
【課題を解決するための手段】
【０００７】
上記課題を解決するため、本発明の情報処理装置は、入力される交流電圧によって電荷が蓄積される蓄電手段を備え、前記交流電圧を変換して出力する電源から電力が供給されて動作する情報処理装置において、前記電源から電力が供給されて前記情報処理装置の動作を制御する制御手段と、前記交流電圧を検知する電圧検知手段と、前記制御手段は、前記交流電圧の入力が断たれた場合に、前記電圧検知手段の検知結果と、前記情報処理装置の動作状態に基づき、前記情報処理装置のシャットダウン処理を開始するまでの時間を設定することを特徴とする。
【発明の効果】
【０００８】
補助電源に蓄電される電力量が変動した場合においても適切にシャットダウン処理を行うことができる。
【図面の簡単な説明】
【０００９】
【図１】実施例１の電源装置の模式的ブロック図を含む情報処理装置の図である。
【図２】実施例１における電圧検知のフローチャートである。
【図３】実施例１における停電時の運転方法のフローチャートである。
【図４】実施例１におけるＬＵＴである。
【図５】実施例２の停電時の運転方法のフローチャートである。
【図６】実施例２における動作モードを切り替えるためのＬＵＴである。
【図７】実施例２におけるタイマーの時間を切り替えるためのＬＵＴである。
【図８】図１の電源装置の具体的な回路図である。
【図９】実施例１の模式的なＬＵＴである。
【図１０】情報処理装置の適用例であるレーザービームプリンタの概略図である。
【発明を実施するための形態】
【００１０】
次に、上述した課題を解決するための本発明の具体的な構成について、以下に実施例に基づき説明する。なお、以下に示す実施例は一例であって、この発明の技術的範囲をそれら  のみに限定する趣旨のものではない。
【００１１】
（実施例１）
図１は本発明の実施例１に係る電源装置のブロック図を含む情報処理装置の概略を示す図である。また、図２（ａ）は電源装置の電圧を検知する際のフローチャートである。図２（ｂ）は電源装置への商用交流電源からの電力（交流電圧）の供給停止（以下、停電ともいう）を検知する際のフローチャートである。図３は停電時の情報処理装置の運転方法を説明するフローチャートである。図４は、停電時に情報処理装置が参照するルックアップテーブル（以下、ＬＵＴともいう）の一例である。図８は本実施例の電源装置の模式的な回路図である。以下、図１、図２、図３、図４、図８を用いて、本実施例の詳細について説明する。
【００１２】
図１において、情報処理装置１は、例えば、パーソナルコンピュータ、プリンタ、テレビ、録画装置等の情報処理装置を含む。電源装置２は、情報処理装置１に内蔵、或いは外付けされる。そして情報処理装置１はその動作を制御するための制御部３を有する。次に、商用交流電源１００は、電源装置２の整流部１０１、および、電圧検知用のトランス１１２に接続される。また、一次平滑コンデンサを有する平滑部１０２を有し、整流部１０１によって整流された脈流電圧を平滑し、且つ電荷を蓄積する蓄電部としても機能する。平滑部１０２に接続するコンバータは、スイッチＳＷ１０３、トランス１０４、整流平滑部１０５、検出ブロック１０６、フォトカプラ１０７、制御部１０８の６つのから構成される。また、停電検知部１０９は、フォトカプラ１１０を介して、ＣＰＵ１１１に検知結果を送信する。制御部３にはＣＰＵ１１１、ＲＯＭ１１１ａ、ＲＡＭ１１１ｂを有する。ＲＯＭ１１１ａには後述するフローチャートを実行するためのプログラムが記憶されており、ＲＡＭ１１１ｂは、シャットダウン処理時の記憶装置として使用される。
【００１３】
まず、電源装置２の動作について図９の回路図を用いて説明する。図８の回路図は図１の電源装置２の回路構成を具体的に示したものである。商用交流電源１００から入力された交流電圧をダイオードブリッジである整流部１０１である整流ブリッジ回路により整流する。そして、整流した脈流電圧を平滑部１０２である平滑コンデンサで平滑し、かつ、蓄電する。平滑コンデンサで平滑した電圧を、トランス１０４の１次巻線と１次巻線に直列に接続されたスイッチＳＷ１０３を介してスイッチングする。これにより、トランス１０４の２次巻線へトランスの巻線比に応じたパルス電圧を発生させる。そして、トランスの２次巻線に発生したパルス電圧を整流平滑部１０５（ダイオード及びコンデンサ）によって整流及び平滑した直流電圧を、２次側に接続された負荷に供給する。直流電圧が負荷によらず一定になるように、検出部１０６（電圧検出回路）で直流電圧を検出する。検出結果は、フォトカプラ１０７（２次側の発光ダイオードと１次側のトランジスタ）を介して、制御部１０８（電源制御用のＩＣ）に送信する。制御部１０８は、検出部１０６の検出結果に基づいてスイッチＳＷ１０３の動作（オンオフ）を制御することで直流電圧が一定に制御される。
【００１４】
次に、本実施例の電源装置２の特徴について説明する。停電検知部１０９は、入力される交流電圧を検出する回路、また、交流電圧を検出する制御素子（ＩＣともいう）を使用して構成する。また、これ以外に、電圧検出回路を内蔵したフォトカプラや汎用のフォトカプラにシャントレギュレータを組み合わせて構成しても良い。停電検知部１０９は、商用交流電源１００からのＡＣ電圧の値（ピーク値）が設定値より大きい時にＨｉｇｈ信号を出力し、設定値より小さい場合にＬｏｗ信号を出力する。すなわち、停電検知部１０９の出力される信号は、停電時、および、商用交流電源１００のゼロクロス付近でＬｏｗとなる。なお、設定値（閾値）を小さくすると、ゼロクロス付近のデッドタイムを短くすることができるため、停電に対する検知精度を上げることができる。なお、設定値を小さくし過ぎるとノイズに対して誤動作が起きやすくなるため本実施例では設定値は１０Ｖにしている。
【００１５】
そして、電圧検知用のトランス１１２は、商用交流電源１００からの交流電圧を降圧してトランス１１２の二次側に伝達する。二次側に伝達された交流電圧は、整流平滑部１１３で直流化されてＣＰＵ１１１に供給される。ＣＰＵ１１１は、整流平滑部１１３で直流化された電圧をＡ／Ｄ変換して取り込み、商用交流電源１００からの電圧値を検知する。なお、トランス１１２は、トランス１０４の二次側に補助巻線として追加する構成でもよい。
【００１６】
以上説明した構成の電源装置を有する情報処理装置において、商用交流電源１００からの交流電圧を検知する方法及び停電を検知する方法を、図２を用いて説明する。なお、図における動作シーケンスはＣＰＵ１１１によりＲＯＭ１１１ａ（図１）に記憶されているプログラムに基づき実行される。以下に示す図２（ａ）、（ｂ）のフローチャートを実行するためのプログラムが夫々、ＲＯＭ１１１ａに記憶されており、ＣＰＵ１１１が呼び出して実行する。
【００１７】
まず、図２（ａ）において、電源装置に商用交流電源１００からの交流電圧が入力されてＣＰＵ１１１が起動する。ＣＰＵ１１１が起動したら、トランス１１２により電圧の検知結果を、整流平滑部１１３を介して監視する（Ｓ２０１）。そして、記憶装置としてのＲＡＭ１１１ｂ（図１）に、電圧トランス１１２による検知結果を記憶する（Ｓ２０２）。
【００１８】
また、図２（ｂ）において、この処理と並列に、停電検知部１０９からの出力を、フォトカプラ１１０を介して監視する（Ｓ３０１）。停電検知部１０９は、商用交流電源１００からの交流電圧がゼロクロス付近、また、商用交流電源１００からの交流電圧の供給が停止（停電）した場合にＬｏｗ信号を出力する。それ以外の場合はＨｉｇｈ信号を出力する。ＣＰＵ１１１が電圧検知部１０９からＨｉｇｈ信号を出力したことを検知している場合は、Ｓ３０１のステップに戻り、電圧検知部からの信号の監視を継続する（Ｓ３０２）。電圧検知部１０９からＬｏｗ信号を出力したことを検知した場合は、ゼロクロス付近であることの検知と停電であることを区別する必要がある。そのため、Ｌｏｗ信号を出力している期間をカウントする（Ｓ３０３）。カウントした期間が２ｍｓｅｃ以下の場合は、ゼロクロス付近によるＬｏｗ信号の出力であると判断して（Ｓ３０４）、再びＳ３０１のステップに戻る。一方、カウント値が２ｍｓｅｃより長くなった場合は、商用交流電源１００からの交流電圧の供給が停止した（停電）したものと判断し、図３で示す停電時運転のフローのＳ４０１を開始する（Ｓ３０５）。図３の停電時運転のフローを開始した場合においても、停電検知部１０９の出力を監視し続ける。監視を継続中に、停電していないと検知した場合は、停電が解消されたと判断する（Ｓ３０６）。停電が解消された場合、停電が解消した旨を報知し（Ｓ３０７）、Ｓ３０１のステップから再開する。なお、図３の停電時運転のフローにおいてはＳ４１０に移行して通常状態に復帰することになる。
【００１９】
次に、停電時の運転方法の詳細について図３のフローチャートを用いて説明する。図２（ｂ）のＳ３０５に従い、停電時運転のフローを開始する（Ｓ４０１）。まず、図２（ａ）の電圧検知のフロー（Ｓ２０２）にて記憶した、商用交流電源１００からの交流電圧の値（以下、ＡＣ電圧値という）を参照する（Ｓ４０２）。また、現在の情報処理装置の動作状態を把握する（Ｓ４０３）。この２つのパラメータに基づいて、予め設定されている図４に示すＬＵＴ（ルックアップテーブル）を参照し（Ｓ４０４）、ＬＵＴから参照した数値をタイマーの時間として設定する（Ｓ４０５）。なお、このＬＵＴは後で詳細に説明する。そして、停電が解消しているかどうかを、Ｓ３０７のステップが実行されたか否かで判断する（Ｓ４０６）。Ｓ３０７が実行されず、停電が継続している場合は、停電発生からの経過時間をカウントし（Ｓ４０７）、Ｓ４０５で設定した時間に到達したかどうかを判断する（Ｓ４０８）。Ｓ４０５で設定した時間に到達していない場合は、Ｓ４０６のステップに戻る。
【００２０】
Ｓ４０６のステップにより停電が解消したことを検知した場合、タイマーの設定値や経過時間のカウント値をリセットし、通常の動作状態に切り替えて（Ｓ４１０）、停電時運転フローを終了する（Ｓ４１２）。一方、Ｓ４０８で停電が解消されずにタイマーで設定時間に到達した場合、シャットダウン処理を実行する（Ｓ４０９）。ここで実行するシャットダウン処理の内容は、一般的に実行されているものと同様の処理である。一例としては、情報処理装置の起動に関わる情報を不揮発性メモリに格納し、それ以外の情報へのアクセスを停止する。また、不図示のＨＤＤ（ハードディスクなどの大容量記憶装置）に緊急停止のコマンドを送信し、ＨＤＤは読み書き用ヘッダを退避して停止する。そして、情報処理装置の電源をＯＦＦにし（Ｓ４１１）、すべての動作を終了する（Ｓ４１２）。
【００２１】
次に、上述した２つのパラメータ（ＡＣ電圧値と情報処理装置の動作状態）によってＬＵＴの数値の決め方を説明する。一般的な電源装置の平滑ブロック１０２で使用される一次平滑コンデンサに蓄電されるエネルギー量は、使用する一次平滑コンデンサの容量に比例し、かつ、その充電電圧の二乗に比例する。また、一次平滑コンデンサの充電電圧は、商用交流電源１００からの実行電圧によって決まる。そして、一次平滑コンデンサが放電されるまでの電荷保持時間は、蓄電されたエネルギー量と二次側の負荷の電流量から算出できる。なお、二次側の負荷の電流量は、情報処理装置１の動作状態に応じた値である。すなわち、電荷保持時間は、予め定められている一次平滑コンデンサの容量と、商用交流電源１００からのＡＣ電圧値と、現在の情報処理装置の動作状態の３つのパラメータから算出することができる。
【００２２】
ＬＵＴに代入する数値は、算出された電荷保持時間から、シャットダウン処理に要する時間を減じた値となる。シャットダウン処理に要する時間は、パラメータに因らず、情報処理装置１に固有の値で一定であるため、３つのパラメータを適切に与えてＬＵＴを作成すれば良い。本実施例では、一例として、出力が６０Ｗ、一次平滑コンデンサが６８０μＦの電源装置を備え、通常の負荷となる通常動作モードと、通常の負荷の１／１０程度の負荷となる待機モードを備える情報処理装置１のＬＵＴを図４に示す。図４に示すＬＵＴは、ＡＣ電圧値が８０Ｖ、１００Ｖ、１２０Ｖ、１４０Ｖの場合において、通常動作モードと待機モードにおける電荷保持時間を格納したテーブルである。
【００２３】
次に、ＬＵＴの参照方法について説明する。図３のＳ４０２で検知したＡＣ電圧値から、ＬＵＴで参照する列を選択する。例えば、図４のＬＵＴでは、商用交流電源１００のＡＣ電圧値が８０Ｖ以上であり１００Ｖ未満の場合は８０Ｖの列を選択する。次に、図３のＳ４０３で検知した情報処理装置の動作状態に基づきＬＵＴの行を選択する。この２つのパラメータから選択した行列のセルの値が、図３のＳ４０５で設定する値となる。このように、商用交流電源１００のＡＣ電圧値や、情報処理装置１の動作状態（動作モード）に応じてシャットダウン処理を開始するまでの時間を切り替えることができる。これにより、停電時に、情報処理装置１の動作状態によってシャットダウン開始までのタイミングを適正化できる。従って、ユーザーにとって不必要なシャットダウンを防ぐことができる可能性が高まる。
【００２４】
なお、図５のＬＵＴでは、商用交流電源１００のＡＣ電圧値を、８０Ｖから１４０Ｖまで２０Ｖ刻みの４段階にし、動作状態について２つの動作モードにおける例を示した。しかし、これに限らず、ＡＣ電圧値の段階や動作モードの数も変更してＬＵＴを作成することが可能である。また、図１０のように、動作状態が１つの場合における、より簡易なＬＵＴを使用することも可能である。この場合は、図４のＳ４０３のステップを省いて制御すれば良い。
【００２５】
そして本実施例では、入力されるＡＣ電圧値と動作状態の２つのパラメータを用いて制御を行ったが、例えば、入力される電流値、電力量等、その他の蓄電量に関わるデータをパラメータとして用いても良い。
【００２６】
以上のように本実施例によれば、簡単な構成で、電源の蓄電量に応じて最適な停電時の運転方法を提供できる。
【００２７】
（実施例２）
図５は本発明の実施例２に係る停電時の運転方法を説明するフローチャートである。図６及び図７は停電時に参照するＬＵＴの一例である。以下、図５、図６、図７に基づき、本実施例について詳細に説明する。なお、実施例１と異なる点は、図５におけるＳ６０１，Ｓ６０２，Ｓ６０３，Ｓ６０４の４つのステップである。その他の共通する箇所は、同一符号をつけて説明を省略する。
【００２８】
本実施例では一例として、出力６０Ｗ、一次平滑コンデンサが６８０μＦの電源装置を備える。そして、３つの動作モードを備える情報処理装置１を前提とする。３つの動作モードは以下の動作モードである。
１）通常の負荷となる通常動作モード。
２）ＣＰＵによる情報の処理のみを行い通常の負荷の１／３程度の負荷となる待機モード１。
３）ＣＰＵの処理速度を低下させて、通常の負荷の１／１０程度の負荷となる待機モード２。
【００２９】
この情報処置装置１のＬＵＴを図６及び図７に示す。図６は、動作モードを切り替えるためのＬＵＴ２１であり、図７はタイマーにセットする数値を示すＬＵＴ２２であり、実施例１の図４で説明したＬＵＴに相当する。また、待機モード２の一例として、コンピュータ等の情報処理装置１では、ＣＰＵ１１１を省電力モードに設定して処理速度を下げる状態にする。また、画像情報を扱う複写機やプリンタ等では、イメージスキャナによるスキャンやプリントジョブの画像処理のみを行い印字機能を実行しない状態となる。
【００３０】
まず、図５を用いて、本実施例の固有の動作モードの切り替え方法を説明する。図５のＳ４０２で検知したＡＣ電圧から、ＬＵＴ２１で参照する列を選択する。例えば、図６の例では、商用交流電源１００からのＡＣ電圧の値をＶacとし、Ｖacが１１０Ｖ未満の場合は“Ｖac＜１１０”の列を選択する。次に、図５のＳ４０３で検知した情報処理装置１の動作状態に基づき、ＬＵＴの行を選択する。この２つのパラメータから選択した行列に対応するセルの値が、図５のＳ６０２で切り替える情報処理装置１の動作状態となる。なお、図６のＬＵＴでは、ＡＣ電圧の値が以下の４つの条件で列が選択される。
１）ＡＣ電圧の値Ｖacが１１０Ｖ未満：“Ｖac＜１１０”
２）ＡＣ電圧の値Ｖacが１１０Ｖ以上で１４０Ｖ未満：“１１０≦Ｖac＜１４０”
３）ＡＣ電圧の値Ｖacが１４０Ｖ以上で１８０Ｖ未満：“１４０≦Ｖac＜１８０”
４）ＡＣ電圧の値Ｖacが１８０Ｖ以上：“Ｖac≧１８０”
次に、図５を用いて本実施例における情報処理装置１の停電時の運転方法について説明する。Ｓ４０１からＳ４０３のステップを終えた後、動作状態を切り替えるためのＬＵＴ２１を参照する（Ｓ６０１）。ＬＵＴ２１で定められた結果に基づいて、情報処理装置１の動作状態を遷移させる（Ｓ６０２）。遷移後の新しい動作状態に基づいてＬＵＴ２２を参照し（Ｓ６０３）、参照先の数値をタイマーにセットする（Ｓ４０５）。
【００３１】
また、Ｓ４０６のステップにより停電が解消したことを検知した場合、Ｓ６０４で復帰する際の動作状態は、Ｓ４０３のステップで確認した時の動作状態であり、Ｓ６０２のステップによって変更した後の動作状態ではない。
【００３２】
このように、動作する機能を一部制限することにより、平滑ブロック１０２に使用される一次平滑コンデンサの電荷保持時間を長くすることができる。すなわち、商用交流電源１００からＡＣ電圧の供給が停止している間は動作する機能を制限して、シャットダウン処理を開始するまでの時間を切り替えることができる。これにより、停電時に、情報処理装置１の動作状態によってシャットダウン開始までのタイミングを適正化できる。従って、停電時にユーザーにとって不必要なシャットダウンを防ぐことができる可能性が高まる。一方、動作する機能を制限しない場合は、高いユーザビリティを提供できる。そのため、バッテリーの残量が十分にある場合においては、機能を制限することなく提供することが可能である。
【００３３】
しかし、停電中に動作を制限することなく提供することと、シャットダウン処理の発生頻度を減らすことはトレードオフの関係となる。そして、どちらを優先するかは、ユーザーにより考え方が違う可能性がある。そのため、ユーザーに応じた最良の動作方法を固定値で設定することは難しい。よって、情報処理装置１に備え付けのタッチパネルや、或いは、情報処理装置１に接続された外部の端末のアプリケーションソフトから、無線または有線の通信を利用して指定するようにしても良い。タッチパネルや外部の端末にＬＵＴ２１を表示し、ＬＵＴ２１の設定値を、各動作モードから選択できるようにしても良い。ユーザーがＬＵＴ２１の設定値を任意に選択できれば、使用するユーザーに応じて最良のユーザビリティを提供することができる。
【００３４】
以上のように本実施例によれば、簡単な構成で、電源の蓄電量に応じて最適な停電時の運転方法を提供できる。
【００３５】
（本発明の電源装置の具体的な適用例）
実施例１、実施例２で説明した電源装置が搭載される情報処理装置の一例として、レーザビームプリンタ、複写機、ファクシミリ等の画像形成装置に適用することができる。以下にその適用例を説明する。電源装置は、画像形成装置における用紙を搬送する搬送ローラの駆動部であるモータや、その他、アクチュエータ類、また、制御部への電力供給のための電源として適用可能である。
【００３６】
図１０（ａ）に画像形成装置の一例であるレーザビームプリンタの概略構成を示す。レーザビームプリンタ２０００は、画像形成部２１００として潜像が形成される像担持体としての感光ドラム２１１０、感光ドラムに形成された潜像をトナーで現像する現像部２１２０を備えている。そして感光ドラム２１１０に現像されたトナー像をカセット２１６０から供給された記録媒体としてのシート（不図示）に転写して、シートに転写したトナー像を定着器２１４０で定着してトレイ２１５０に排出する。また、図１０（ｂ）画像形成装置の駆動部としてのモータへの電源からの電力供給ラインを示す。上記の電源装置は、このような画像形成動作を制御するＣＰＵ３１００有するコントローラへ３０００の電力供給、また、画像形成のための駆動部としてのモータ３１２０及びモータ３１３０に電力を供給する低圧電源として適用できる。供給する電力として、モータに２４Ｖを供給する。例えばモータ３１２０はシートを搬送する搬送ローラを駆動するモータ、モータ３１３０は定着器２１４０を駆動するモータである。レーザビームプリンタのような画像形成装置は、画像形成を実行している動作状態と、画像形成を実行しておらず、消費電力を低減するためにモータ等への電力の供給をオフする省電力状態とに切り換えることができる。このような動作状態（動作モード）に応じて上記の実施例１、２で説明した制御を実行することができる。
【符号の説明】
【００３７】
１  情報処理装置
２  電源装置
３  制御部
１００  商用交流電源
１０１  整流ブロック
１０２  平滑ブロック
１０９  電圧検知部
１１０  フォトカプラ
１１１  ＣＰＵ
【図１】
2015018493.tif 000003
【図２】
2015018493.tif 000004
【図３】
2015018493.tif 000005
【図４】
2015018493.tif 000006
【図５】
2015018493.tif 000007
【図７】
2015018493.tif 000008
【図８】
2015018493.tif 000009
【図９】
2015018493.tif 000010
【図１０】
2015018493.tif 000011
【図６】
2015018493.tif 000012